(57)【特許請求の範囲】
【請求項１】
棒状の剛性部材と、前記棒状の剛性部材の両端に固定され、前記剛性部材の長さ方向に亘って架け渡された帯状の持ち手と、前記剛性部材の両端、または前記持ち手の両端近傍に、鞄の開口部近傍の左右マチ部に着脱可能に取り付けられた固定部と、を備えることを特徴とする鞄用着脱式持ち手。
【請求項２】
前記固定部が、スナップであることを特徴とする請求項１に記載の鞄用着脱式持ち手。
【請求項３】
前記固定部が、クリップであることを特徴とする請求項１に記載の鞄用着脱式持ち手。
【請求項４】
前記剛性部材は、一端が閉じた筒状体と、前記筒状体の他端である開放端に挿入され、前記筒状体の内面に沿って摺動可能な棒状体と、前記筒状体と前記棒状体との間に介在された弾性体と、を備え、前記棒状体、または前記筒状体の少なくとも一方は、その摺動可能な範囲を制限する摺動範囲制限部を有することを特徴とする請求項１から３のうちいずれか１項に記載の鞄用着脱式持ち手。
【請求項５】
前記剛性部材は、筒状体と、前記筒状体の両端から挿入され、前記筒状体の内面に沿って摺動可能な２つの棒状体と、前記筒状体と前記２つの棒状体との間に介在された弾性体と、を備え、前記２つの棒状体、または前記筒状体の少なくとも一方は、その摺動可能な範囲を制限する摺動範囲制限部を有することを特徴とする請求項１から３のうちいずれか１項に記載の鞄用着脱式持ち手。
【請求項６】
前記持ち手が固定される鞄の左右マチ部の間の距離に応じて、前記剛性部材の長さを調整可能な剛性部材長さ調整部と、前記持ち手が前記剛性部材の両端に架け渡される長さを調整可能な持ち手長さ調整部と、を有することを特徴とする請求項１から５のうちいずれか１項に記載の鞄用着脱式持ち手。
【発明の詳細な説明】
【技術分野】
【０００１】
本発明は、必要なときのみ鞄本体に装着でき、なおかつ、鞄の型崩れ防止機能を有する鞄用持ち手に関する。
【背景技術】
【０００２】
従来、例えば肩掛け鞄（ショルダーバッグ）は肩にかけるために肩紐を有しているが、状況に応じて鞄を手で持ちたい場合もある。このような場合、長い肩紐を短く畳んで、それを持ち手として手に持つことが多いが、そのような持ち方をすると、かさばって把持性が悪くなる。
【０００３】
そのため、把持するための専用の持ち手を取り付けるのが望ましいが、持ち手を取り付けることで鞄の外観品質を損ねる恐れがあり、必要なときにだけ持ち手を取り付けられるのが望ましい。
【０００４】
そして、そのような用途に用いることが可能な、持ち手を着脱式にした鞄が提案されている（特許文献１）。
【０００５】
一方、鞄を持つ際、持ち手の付け根部分にのみ力がかかるため、鞄の型崩れが発生して見栄えが悪くなることがある。このような型崩れを防止する方法として、持ち手の台座全体で鞄の重量を支える構造とすることが提案されている（特許文献２）。
【先行技術文献】
【特許文献】
【０００６】
【特許文献１】登録実用新案第３０９３９１４号公報
【特許文献２】特開２０１０−０００３２４号公報
【発明の概要】
【発明が解決しようとする課題】
【０００７】
鞄の使用者にとって、鞄の持ち手を着脱式にすることと、鞄の型崩れを防ぐこととは、共に実現できるのが望ましい課題であるが、これらの提案を単に組み合わることによって解決することはできない。
【０００８】
すなわち、特許文献２の発明は、持ち手の台座を鞄に固定することによって鞄の型崩れを防ぐものであるため、持ち手を着脱式にすることは想定されていない。
【０００９】
なお、この課題は、ショルダーバッグのみならず、バックパック、ブリーフケース、セカンドバッグ等、様々な形態の鞄において、同様に起こり得るものである。
【００１０】
本発明は上記事情に鑑みなされたもので、鞄の持ち手を着脱式にすることと、鞄の型崩れを防ぐこととを両立することができる鞄用着脱式持ち手を提供することを目的とする。
【課題を解決するための手段】
【００１１】
本発明に係る鞄用着脱式持ち手は、持ち手の両端近傍に取り付けた固定部を、鞄本体の左右側面を構成する左右マチ部に着脱可能に固定することによって、持ち手を着脱可能にするとともに、持ち手の両端近傍間に固定された棒状の剛性部材で鞄の左右マチ部の間を押し広げて保持することによって、持ち手を取り付けたときに鞄の型崩れを防ぐことを可能とするものである。
【００１２】
すなわち、本発明に係る鞄用着脱式持ち手は、棒状の剛性部材と、棒状の剛性部材の両端に固定され、剛性部材の長さ方向に亘って架け渡された帯状の持ち手と、剛性部材の両端、または前記持ち手の両端近傍に、鞄の開口部近傍の左右マチ部に着脱可能に取り付けられた固定部と、を備えることを特徴とする。
【００１３】
このように構成された本発明に係る鞄用着脱式持ち手によれば、持ち手の両端近傍に取り付けられた固定部によって、持ち手が、鞄の開口部近傍の左右マチ部に着脱可能に固定されることにより、鞄の持ち手を着脱式にすることができる。
【００１４】
さらに、持ち手の両端近傍間に固定された棒状の剛性部材が、剛性部材の両端、または持ち手の両端近傍に設置された固定部によって鞄の開口部近傍の左右マチ部の間に固定されるため、この固定された剛性部材によって、鞄の左右マチ部の間が押し広げられた状態で保持されることにより、鞄の型崩れを防ぐことができる。
【発明の効果】
【００１５】
本発明に係る鞄用着脱式持ち手によれば、鞄の持ち手を着脱式にすることと、鞄の型崩れを防ぐこととを両立することができる。
【図面の簡単な説明】
【００１６】
【図１】本発明の実施形態１に係る鞄用着脱式持ち手の外観図である。
【図２】（ａ）は図１を矢印Ｘの方向から見た正面図（部分断面図）であり、（ｂ）はそのＡ−Ａ断面図である。
【図３】（ａ）は本発明の実施形態１に係る鞄用着脱式持ち手を鞄に取り付けた様子を示す図であり、（ｂ）は鞄のフラップを閉じた様子を示す図である。
【図４】（ａ）は本発明の実施形態２に係る鞄用着脱式持ち手の構造を示す正面図（部分断面図）であり、（ｂ）はそのＡ−Ａ断面図である。
【図５】本発明の実施形態２に係る鞄用着脱式持ち手を鞄に取り付けた様子を示す図である。
【図６】（ａ）は本発明の実施形態３に係る鞄用着脱式持ち手の構造を示す正面図（部分断面図）であり、（ｂ）はそのＡ−Ａ断面図であり、（ｃ）はＢ−Ｂ断面図である。
【発明を実施するための形態】
【００１７】
以下、本発明に係る鞄用着脱式持ち手の実施形態について、図面を参照して説明する。
（実施形態１）
図１は、実施形態１に係る鞄用着脱式持ち手５の外観図である。また、図２（ａ）は、図１に示した鞄用着脱式持ち手５を、矢印Ｘの方向から見た正面図（部分断面図）であり、図２（ｂ）は、図２（ａ）のＡ−Ａ断面図である。さらに、図３（ａ）は、鞄用着脱式持ち手５を、鞄本体１００に取り付けた様子を示す図である。
【００１８】
本実施形態１に係る鞄用着脱式持ち手５は、図１、図２（ａ）、および図３（ａ）に示すように、鞄本体１００を把持するための、革、合成皮革、または布などの柔軟性のある素材で形成された帯状の持ち手１０と、持ち手１０の両端近傍間に固定された剛性部材２０と、持ち手１０のうち、剛性部材２０が固定された位置よりも持ち手１０の両端１０１に近い部分（以下、単に持ち手の両端と呼ぶ）に設置された、鞄本体１００と固定されるスナップ８０（固定部）と、から構成される。
【００１９】
なお、剛性部材２０は、詳しくは、金属またはプラスチックなどの剛性のある素材で形成された棒状体３０と、この棒状体３０が挿入され、その内面に沿って摺動するように配置された、金属またはプラスチックなどの剛性のある素材で形成された、一端が開放端４０１、他端が閉鎖端４０２になっている筒状体４０と、棒状体３０の、筒状体４０に挿入された側の端部３０１と、筒状体４０の閉鎖端４０２側の内面４０３との間に設置され、棒状体３０が筒状体４０の内面に沿って摺動するように配置された、つるまきばねをはじめとする弾性を有する部材で構成された弾性体５０と、持ち手１０の一端近傍と筒状体４０に挿入されていない側の棒状体３０の端部３０２とを固定する固定用ねじ９０と、持ち手１０の他端近傍と筒状体４０の閉鎖端４０２とを固定する固定用ねじ９２と、からなる。
【００２０】
また、棒状体３０の表面には、棒状体３０の長さ方向に沿って、棒状体３０の軸径よりも小さい幅で、所定の長さだけ棒状体３０の軸を垂直方向に貫通するように開口された可動範囲制限孔７０１が設けられ、筒状体４０の表面から対面に向かって貫通したストッパー挿入孔７０２に差し込まれたストッパー６０が、可動範囲制限孔７０１を貫通することによって、棒状体３０の軸方向（長手方向）への摺動範囲を制限するように設置される。
【００２１】
ここで、棒状体３０に設けられた可動範囲制限孔７０１と、筒状体４０に設けられたストッパー挿入孔７０２と、ストッパー６０とによって、摺動範囲制限部７０が構成される。そして、摺動範囲制限部７０は、棒状体３０が筒状体４０から脱落するのを防ぐ機能も有する。
【００２２】
次に、実施形態１に係る鞄用着脱式持ち手５の作用について説明する。
【００２３】
図２（ａ）に示す、持ち手１０の両端１０１に設置されたスナップ８０、８０が、図３（ａ）に示すように、鞄本体１００の開口部１１０近傍の左マチ部（紙面に向かって左側の側面）１３０に予め固定されたスナップ８１、および鞄本体１００の開口部１１０近傍の右マチ部（紙面に向かって右側の側面）１４０に予め固定されたスナップ８２と、それぞれ結合することによって、持ち手１０が鞄本体１００に取り付けられる。
【００２４】
ここで、スナップ８１、８２は、鞄本体１００に予め固定されていたものとして説明したが、この形態によらず、持ち手１０の両端１０１に設置された各スナップ８０、８０と対になるものとして、本実施形態の鞄用着脱式持ち手５とセットにした構成とし、鞄本体１００に、スナップ８１、８２を固定するための孔を開けて、その孔にスナップ８１、８２を取り付けるようにしてもよい。
【００２５】
そして、鞄の使用者は、肩紐１４を肩にかける代わりに、取り付けられた持ち手１０を把持することによって、鞄本体１００を手持ちすることができるようになる。
【００２６】
一方、持ち手１０側に固定されたスナップ８０と、鞄本体１００に固定されたスナップ８１、８２との結合を外すことによって、鞄用着脱式持ち手５を鞄本体１００から取り外すことができる。
【００２７】
さらに、鞄用着脱式持ち手５を鞄本体１００に取り付けた際、剛性部材２０は、弾性体５０が有する弾性力によって、その両端部が鞄本体１００の開口部１１０近傍の左マチ部１３０と右マチ部１４０との間を押し広げた状態で保持されるため、鞄本体１００の型崩れを防ぐことができる。
【００２８】
このように構成された実施形態１に係る鞄用着脱式持ち手５によれば、必要なときに鞄用着脱式持ち手５を取り付けて、この鞄用着脱式持ち手５によって鞄本体１００を把持することができるとともに、鞄本体１００の型崩れを防ぐことができる。
【００２９】
また、本実施形態１では、固定部としてスナップ８０を用いているため、鞄用着脱式持ち手５を鞄本体１００に取り付けた際に、鞄の外観品質を向上させることができる。
【００３０】
ここで、図２（ａ）では、スナップ８０（固定部）が持ち手１０に固定されているが、これは、スナップ８０を剛性部材２０に固定しても同様の効果が得られる。すなわち、固定用ねじ９０、９２の頭部に、それぞれスナップ８０を直接取り付けてもよい。
【００３１】
なお、鞄の使用者が、鞄の中身を確認するとき、あるいは、鞄から物を出し入れするときには、鞄本体１００に固定された剛性部材２０の一端を使用者の身体に押し当てて、剛性部材２０の他端を、剛性部材２０の全長を縮める方向に押圧すればよい。
【００３２】
このとき、その押圧力により、弾性体５０の付勢力に抗して、棒状体３０が筒状体４０の内面に沿って、摺動範囲制限部７０で規定された範囲で摺動し、これによって鞄本体１００の開口部１１０の間口が大きく開いて、鞄の中身の確認が容易にできるようになり、また、物の出し入れが容易にできるようになる。
【００３３】
さらに、図３（ｂ）に示すように、鞄本体１００に装着されたフラップ１２０を、剛性部材２０と持ち手１０との隙間に通して閉じることにより、フラップ１２０によって剛性部材２０が隠されるため、鞄の外観品質が向上する。
【００３４】
また、図３（ａ）に示した状態から、鞄本体１００に装着された鞄用着脱式持ち手５を、スナップ８１、８２を中心にして１８０度回転した状態で取り付けることによって、持ち手１０が鞄本体１００の内部に収容されるため、鞄本体１００を肩にかけた状態、すなわち、肩紐１４によって鞄本体１００を保持するときであっても、剛性部材２０による鞄本体１００の型崩れ防止の効果が発揮されるとともに、持ち手１０を鞄本体１００の外部に露出させないようにすることができる。
【００３５】
なお、本実施形態の鞄用着脱式持ち手５では、持ち手１０を鞄本体１００と同じ色調にすると違和感がなくてよい。さらに、剛性部材２０には、上述した金属やプラスチックの他に、木材（竹材等）などの素材であってもよい。
【００３６】
剛性部材２０として金属を適用したものは、その金属的光沢によって高級感を得ることができる。一方、剛性部材２０としてプラスチックを適用したものは、例えば、そのプラスチックを透明、または半透明とすることにより、剛性部材２０の内部の構造を見せることができる。このとき、棒状体３０を有色不透明とすることによって、透明、または半透明の筒状体４０を通して、棒状体３０の色を使用者に視認させることができる。
【００３７】
すなわち、棒状体３０の色によって、剛性部材２０全体の色調を規定することができる。これにより、鞄本体１００の色に合わせて、棒状体３０に種々の色を適用することによって、ファッション性を高めることができる。
（実施形態２）
図４（ａ）は、本発明の実施形態２に係る鞄用着脱式持ち手６の構造を示す断面図である。なお、図４（ａ）は、鞄用着脱式持ち手６を、図１と同じレイアウトで配置して、図１に記載した矢印Ｘの方向から見た正面図（部分断面図）である。さらに、図４（ｂ）は、図４（ａ）のＡ−Ａ断面図である。
【００３８】
本実施形態２に係る鞄用着脱式持ち手６は、鞄本体１００（図３（ａ）に記載）を把持するための、革、合成皮革、または布などの柔軟性のある素材で形成された帯状の持ち手１０と、持ち手１０の両端近傍間に固定された剛性部材２２と、持ち手１０の両端１０１に設置されたクリップ８４（固定部）とから構成される。
【００３９】
なお、剛性部材２２は、詳しくは、金属、プラスチック、または木材などの剛性のある素材で形成された棒状体３２、３４と、この棒状体３２、３４がそれぞれ挿入され、その内面に沿って摺動するように配置された、金属、プラスチック、または木材などの剛性のある素材で形成された筒状体４２と、棒状体３２の、筒状体４２に挿入された側の端部３２１と、棒状体３４の、筒状体４２に挿入された側の端部３４１の間に設置され、棒状体３２、３４が筒状体４２の内面に沿って摺動するように配置された、つるまきばねをはじめとする弾性を有する部材で構成された弾性体５２と、持ち手１０の一端近傍と筒状体４２に挿入されていない側の棒状体３２の端部３２２とを固定する固定用ねじ９０と、持ち手１０の他端近傍と筒状体４２に挿入されていない側の棒状体３４の端部３４２とを固定する固定用ねじ９０と、からなる。
【００４０】
また、棒状体３２、３４の表面には、棒状体３２、３４の長さ方向に沿って、棒状体３２、３４の軸径よりも小さい幅で、所定の長さだけ棒状体３２、３４の軸を垂直方向に貫通するように開口された可動範囲制限孔７２１、７２３が設けられ、筒状体４２の表面から対面に向かって貫通したストッパー挿入孔７２２に差し込まれたストッパー６２が、可動範囲制限孔７２１を貫通することによって、棒状体３２の摺動範囲を制限するように設置され、また、筒状体４２の表面から対面に向かって貫通したストッパー挿入孔７２４に差し込まれたストッパー６２が、可動範囲制限孔７２３を貫通することによって、棒状体３４の摺動範囲を制限するように設置される。
【００４１】
ここで、棒状体３２に設けられた可動範囲制限孔７２１と、筒状体４２に設けられたストッパー挿入孔７２２と、ストッパー６２と、によって、摺動範囲制限部７２が構成され、棒状体３４に設けられた可動範囲制限孔７２３と、筒状体４２に設けられたストッパー挿入孔７２４と、ストッパー６２と、によって、摺動範囲制限部７４が構成される。そして、この摺動範囲制限部７２、７４は、棒状体３２、３４が、それぞれ筒状体４２から脱落するのを防ぐ機能も有する。
【００４２】
次に、実施形態２に係る鞄用着脱式持ち手６の作用について説明する。
【００４３】
図５は、本実施形態２に係る鞄用着脱式持ち手６を、鞄本体１００に取り付けた様子を示す。
【００４４】
持ち手１０の両端１０１に設置されたクリップ８４のうち一方が、図５に示すように、鞄本体１００の開口部１１０近傍の左マチ部（紙面に向かって左側の側面）１３０の上端部を挟み込むように取り付けられる。また、図５では隠れているが、鞄本体１００の開口部１１０近傍の右マチ部（紙面に向かって右側の側面）１４０の上端部を挟み込むように、もう一方のクリップ８４が取り付けられる。
【００４５】
そして、鞄の使用者は、肩紐１４を肩にかける代わりに、持ち手１０を把持することによって、鞄本体１００を手持ちすることができるようになる。
【００４６】
一方、持ち手１０側に固定されたクリップ８４と、鞄本体１００側との結合を外すことによって、鞄用着脱式持ち手６を鞄本体１００から取り外すことができる。
【００４７】
さらに、剛性部材２２の両端部が、弾性体５２が有する弾性力によって、その両端部が持ち手１０を押し広げた状態で保持され、これによって、クリップ８４によって持ち手１０が取り付けられた鞄本体１００の左マチ部１３０と右マチ部１４０との間が押し広げた状態で保持されるため、鞄本体１００の型崩れを防ぐことができる。
【００４８】
このように構成された実施形態２に係る鞄用着脱式持ち手６によれば、必要なときに鞄用着脱式持ち手６を取り付けて、この鞄用着脱式持ち手６によって鞄本体１００を把持することができるとともに、鞄本体１００の型崩れを防ぐことができる。
【００４９】
なお、鞄の使用者が、鞄の中身を確認するとき、あるいは、物を出し入れするときには、剛性部材２２の一端を使用者の身体に押し当て、他端を、剛性部材２２の全長を縮める方向に押圧すればよい。
【００５０】
このとき、その押圧力により、弾性体５２の付勢力に抗して、棒状体３２、３４が、筒状体４２の内面に沿って、摺動範囲制限部７２、７４で規定された範囲で摺動し、これによって鞄本体１００の開口部１１０の間口が大きく開いて、鞄の中身の確認が容易にできるようになり、また、物の出し入れが容易にできるようになる。
【００５１】
さらに、実施形態２にあっては、クリップ８４によって、鞄用着脱式持ち手６が鞄本体１００に固定されるようになっているため、鞄本体１００側が、持ち手１０または剛性部材２２を固定するための部材を備える必要がなく、したがって、スナップ８１、８２などを備えていない既存の鞄であっても、何らの加工を施すことなく鞄用着脱式持ち手６を取り付けることができる。すなわち、鞄の種類によらずに鞄用着脱式持ち手６を着脱可能にするとともに、鞄の型崩れを防ぐことができる。
【００５２】
なお、実施形態１では剛性部材２０は１本の棒状体３０を有しているが、実施形態２では剛性部材２２は２本の棒状体３２、３４を有している。実施形態２にあっては、このように棒状体を２本備えた構成にすることによって、剛性部材２２の左右端部が対称形状になるため、鞄用着脱式持ち手６の外観品質が向上する。さらに、固定用ねじ９０の取り付け部の構造が、剛性部材２２の左右端で等しくなるため、鞄用着脱式持ち手６の製造時の作業性が向上する。
【００５３】
なお、その他の効果については、実施形態１と同じであるため、説明を省略する。
（実施形態３）
図６（ａ）は、本発明の実施形態３に係る鞄用着脱式持ち手７の構造を示す断面図である。なお、図６（ａ）は、鞄用着脱式持ち手７を、図１と同じレイアウトで配置して、図１に記載した矢印Ｘの方向から見た正面図（部分断面図）である。さらに、図６（ｂ）は、図６（ａ）のＡ−Ａ断面図であり、図６（ｃ）は、図６（ａ）のＢ−Ｂ断面図である。
【００５４】
本実施形態３に係る鞄用着脱式持ち手７は、鞄本体１００（図３（ａ）に記載）を把持するための、革、合成皮革、または布などの柔軟性のある素材で形成された帯状の持ち手１２と、持ち手１２の両端近傍間に固定された剛性部材２４と、持ち手１２のうち、剛性部材２４が固定された位置よりも持ち手１２の両端１２１に近い部分に設置された、鞄本体１００と固定されるスナップ８０（固定部）とから構成される。
【００５５】
ここで、剛性部材２４は、詳しくは、金属、プラスチック、または木材などの剛性のある素材で形成された棒状体３６と、この棒状体３６が挿入され、その内面に沿って摺動するように配置された、金属またはプラスチックなどの剛性のある素材で形成された、一端が開放端４４１、他端が閉鎖端４４２になっている筒状体４４と、金属またはプラスチックなどの剛性のある素材で形成され、一端が開放端４６１、他端が閉鎖端４６２になっている筒状体４６と、棒状体３６の、筒状体４４に挿入された側の端部３６１と筒状体４４の閉鎖端４４２側の内面４４３との間に設置され、棒状体３６が筒状体４４の内面に沿って摺動するように配置された、つるまきばねをはじめとする弾性を有する部材で構成された弾性体５４と、持ち手１２の一端近傍と棒状体３６のうち筒状体４４に挿入されていない側の端部３６２とを固定する固定用ねじ９０と、持ち手１２の他端近傍と筒状体４６の閉鎖端４６２とを固定する固定用ねじ９４と、からなる。
【００５６】
なお、筒状体４４の閉鎖端４４２は、筒状体４６の開放端４６１から、筒状体４６の内面に沿って挿入されている。
【００５７】
そして、筒状体４４と筒状体４６とは、筒状体４６の表面から対面に向かって筒状体４６の軸を垂直に貫通するように開口された、固定ピン６４が挿入可能な固定ピン挿入孔２６１、２６２、２６３のうちの１つの穴に差し込まれた固定ピン６４が、筒状体４４の表面から対面に向かって筒状体４４の軸を垂直に貫通するように開口された固定ピン通過孔６６を通過することによって固定される。
【００５８】
また、棒状体３６の表面には、棒状体３６の長さ方向に沿って、棒状体３６の軸径よりも小さい幅で、所定の長さだけ棒状体３６の軸を垂直方向に貫通するように開口された可動範囲制限孔７６１が設けられ、筒状体４４の表面から対面に向かって貫通したストッパー挿入孔７６２に差し込まれたストッパー６０が、可動範囲制限孔７６１を貫通することによって、棒状体３６の摺動範囲を制限するように設置される。ここで、棒状体３６に設けられた可動範囲制限孔７６１と、筒状体４４に設けられたストッパー挿入孔７６２と、ストッパー６０とによって、摺動範囲制限部７６が構成される。そして、この摺動範囲制限部７６は、棒状体３６が筒状体４４から脱落するのを防ぐ機能も有する。
【００５９】
さらに、筒状体４６の表面に設けられた、前述した固定ピン挿入孔２６１、２６２、２６３と、固定ピン通過孔６６と、固定ピン６４と、によって、剛性部材２４の全長を調整する剛性部材長さ調整部２６が構成される。
【００６０】
また、持ち手１２の一端側には、帯状の持ち手１２の略中心線上に、持ち手１２の長さ方向に沿って、固定用ねじ９４が挿入可能な複数の固定用ねじ挿入孔２８１、２８２、２８３、２８４が開口されており、この固定用ねじ挿入孔２８１、２８２、２８３、２８４と、固定用ねじ９４と、によって、持ち手１２が剛性部材２４の両端に架け渡される長さを調整する持ち手長さ調整部２８が構成される。
【００６１】
次に、実施形態３に係る鞄用着脱式持ち手７の作用について説明する。
【００６２】
まず、鞄用着脱式持ち手７を取り付ける鞄本体１００の開口部１１０の長さ（左マチ部１３０と右マチ部１４０との間隔）に合うように、剛性部材２４の長さと、持ち手１２が剛性部材２４の両端に架け渡される長さをそれぞれ調整される。
【００６３】
剛性部材２４の長さの調整は、剛性部材長さ調整部２６において行われる。
【００６４】
すなわち、鞄の使用者は、固定ピン６４を取り外し、筒状体４６を筒状体４４の外面に沿って摺動させて、鞄本体１００の開口部１１０の長さよりも若干長くなるように調整し、その位置に最も近い場所で、剛性部材長さ調整部２６を構成する固定ピン挿入孔２６１、２６２、２６３のうちの１つと、筒状体４４に設けた固定ピン６４が通過する固定ピン通過孔６６との位置を合わせる。
【００６５】
そして、固定ピン挿入孔２６１、２６２、２６３のうちの１つと、固定ピン通過孔６６との位置を合わせたら、固定ピン挿入孔２６１、２６２、２６３のうち、固定ピン通過孔６６の位置と一致した固定ピン挿入孔（２６１、２６２、２６３のうちいずれか１つ）に固定ピン６４を差し込んで、筒状体４４と筒状体４６とを固定することによって、剛性部材２４の長さの調整が完了する。
【００６６】
さらに、持ち手１２が剛性部材２４の両端に架け渡される長さの調整は、持ち手長さ調整部２８において行われる。
【００６７】
まず、鞄の使用者は、固定用ねじ９４を取り外し、持ち手１２を実際に把持して、持ち手１２の把持性を確認しながら、持ち手１２が剛性部材２４の両端に架け渡される長さを調整する。
【００６８】
このようにして、持ち手１２が剛性部材２４の両端に架け渡される長さを調整した後、筒状体４６の閉鎖端４６２に設けられた固定用ねじ９４の取り付け孔の位置と、それに最も近い、持ち手長さ調整部２８を構成する固定用ねじ挿入孔２８１、２８２、２８３、２８４の位置とを合わせて、固定用ねじ挿入孔２８１、２８２、２８３、２８４のうち、固定用ねじ９４の取り付け孔の位置と一致した固定用ねじ挿入孔（２８１、２８２、２８３、２８４のうちいずれか１つ）に固定用ねじ９４を差し込んで、持ち手１２と筒状体４６とを固定することによって、持ち手１２が剛性部材２４の両端に架け渡される長さの調整が完了する。
【００６９】
剛性部材２４の長さと、持ち手１２が剛性部材２４の両端に架け渡される長さの調整が完了した後、図３（ａ）と同様に、持ち手１２の両端１２１に設置されたスナップ８０、８０を、鞄本体１００の開口部１１０近傍の左マチ部１３０に予め固定されたスナップ８１、および鞄本体１００の開口部１１０の近傍の右マチ部１４０に予め固定されたスナップ８２とそれぞれ結合することによって、持ち手１２が鞄本体１００に取り付けられる。
【００７０】
このようにして、鞄の使用者は、肩紐１４の代わりに、持ち手１２を把持することによって、鞄本体１００を手持ちすることができるようになる。
【００７１】
一方、持ち手１２側に固定されたスナップ８０、８０と、鞄本体１００側に固定されたスナップ８１、８２との結合を外すことによって、鞄用着脱式持ち手７を鞄本体１００から取り外すことができる。
【００７２】
さらに、剛性部材２４は、弾性体５４が有する弾性力によって、その両端部が鞄本体１００の開口部１１０近傍の左マチ部１３０と右マチ部１４０との間を押し広げた状態で保持されるため、鞄本体１００の型崩れを防ぐことができる。
【００７３】
このように構成された実施形態３に係る鞄用着脱式持ち手７によれば、必要なときに鞄用着脱式持ち手７を取り付けて、この鞄用着脱式持ち手７によって鞄本体１００を把持することができるとともに、鞄本体１００の型崩れを防ぐことができる。
【００７４】
なお、鞄の使用者が、鞄の中身を確認するとき、あるいは、鞄から物を出し入れするときには、鞄本体１００に固定された剛性部材２４の一端を使用者の身体に押し当てて、剛性部材２４の他端を、剛性部材２４の全長を縮める方向に押圧すればよい。
【００７５】
このとき、その押圧力により、弾性体５４の付勢力に抗して、棒状体３６が筒状体４４の内面に沿って、摺動範囲制限部７６で規定された範囲で摺動し、これによって鞄本体１００の開口部１１０の間口が大きく開いて、鞄の中身の確認が容易にできるようになり、また、物の出し入れが容易にできるようになる。
【００７６】
さらに、実施形態３にあっては、剛性部材２４の長さと、持ち手１２が剛性部材２４の両端に架け渡される長さを、それぞれ調整可能な構成としたため、鞄用着脱式持ち手７を取り付ける鞄本体１００の開口部の長さに応じて、剛性部材２４の長さと、持ち手１２が剛性部材２４の両端に架け渡される長さとを調整することができ、これによって、サイズの異なる鞄であっても、鞄用着脱式持ち手７を取り付けることができる。
【符号の説明】
【００７７】
５      鞄用着脱式持ち手
１０    持ち手
２０    剛性部材
３０    棒状体
４０    筒状体
５０    弾性体
６０    ストッパー
７０    摺動範囲制限部
８０    スナップ（固定部）  
９０    固定用ねじ
９２    固定用ねじ
７０１  可動範囲制限孔
７０２  ストッパー挿入孔
【図１】
0005732642.tif 000002
【図２】
0005732642.tif 000003
【図３】
0005732642.tif 000004
【図４】
0005732642.tif 000005
【図５】
0005732642.tif 000006
【図６】
0005732642.tif 000007